(57)【要約】【課題】石炭を搬送する際の落炭防止や発塵防止に優れるベルトコンベア用スカート装置を提供する。【解決手段】シュート部とベルトコンベア間の隙間を覆うスカートと、前記スカートを前記シュート部の下部に取り付けるスカート支持部とを有する本体と、前記本体の、ベルトコンベアのテール側となる端部に配置されるバックシールドと、を有し、前記バックシールドは、紐状部材を介して、ベルトコンベアのベルト上面に摺接可能、且つベルトコンベア運転の際、前記端面に突き当たるように前記本体の端部に取り付けられ、ベルトコンベアの幅方向の断面形状に沿った断面形状を有し、２層からなる硬質スポンジ層で構成され、上部の硬質スポンジ層は軸線を幅方向に配置した鋼線を有する。【選択図】図１
2007302359.tif 000002
【特許請求の範囲】
【請求項１】
ベルトコンベア乗り継ぎ部に取り付けられるベルトコンベア用シュート装置であって、シュート部と前記ベルトコンベア間の隙間を覆うスカートと、前記スカートを前記シュート部の下部に取り付けるスカート支持部を備えた本体と、前記本体の、ベルトコンベアのテール側に、紐状部材を介して取り付けらたバックシールドと、を有することを特徴とするベルトコンベア用シュート装置。
【請求項２】
前記バックシールドが紐状部材を介して前記スカート支持部の、ベルトコンベアのテール側端部に取り付けられていることを特徴とする請求項１記載のベルトコンベア用シュート装置。
【請求項３】
前記バックシールドが、ベルトコンベアの幅方向の断面形状に沿った断面形状を有することを特徴とする請求項１または２記載のベルトコンベア用シュート装置。
【請求項４】
前記バックシールドが、２層からなる硬質スポンジ層で構成され、上部の硬質スポンジ層は軸線を幅方向に配置した鋼線を有することを特徴とする請求項１乃至３の何れか一つに記載のベルトコンベア用シュート装置。
【請求項５】
前記バックシールドに錘を付加したことを特徴とする請求項１乃至４の何れかに一つに記載のベルトコンベア用シュート装置。
【発明の詳細な説明】
【技術分野】
【０００１】
本発明はベルトコンベア用シュート装置に関し、特に、石炭を搬送する際の発塵防止に優れるものに関する。
【背景技術】
【０００２】
図３は、原料地区における石炭の移動経路を説明する模式図で、石炭ａは、石炭ヤードからローダー９０により切り出され、定量切出装置（ＣＦＷ）１００まで搬送される。
【０００３】
定量切出装置（ＣＦＷ）１００で一定量とされた石炭は砕炭機２００に搬送され、その後、コークス炉３００に投入される。
【０００４】
石炭の石炭ヤードからコークス炉までの移動は全てベルトコンベアによるので、ベルトコンベアは原料設備のほぼ９０％を占め、装備数８５０本、総延長は８０ｋｍにも達し、ベルトコンベアからの石炭の落下（以下、落炭）や、発塵は環境防災に大きな影響を与える。
【０００５】
ベルトコンベアからの石炭の発塵は主にベルトコンベア乗り継ぎシュート部周辺に発生する。
【０００６】
図４はベルトコンベア乗り継ぎ部のベルトコンベア用シュート装置の構成を説明する図で、図において１はシュート装置、２は上段側のベルトコンベア、３は下段側のベルトコンベア、４はテールプーリー、１０はシュート部、４０はスカート支持部、４１はサイドスカート、４２はバックスカート、矢印はベルトコンベアの搬送方向を示す。
【０００７】
発塵はベルトコンベア用シュート装置１のシュート部１０の下部側で、特にバックスカート４２と下段側のベルトコンベア３の隙間から発生する。石炭搬送時に発生する発塵は作業環境を悪化させるため、種々の防止技術が提案されている。
【０００８】
特許文献１は、ベルトコンベヤ装置に関し、スカートによる運搬物の飛散防止効果とベルト及びキャリヤバーの耐久性を確保するため、ベルト裏面側に軸線がベルトの長手方向に沿って配置される複数のキャリヤバーとベルト裏面との間隔を、スカートの下部となる領域では、ベルト中央部の領域よりも小さくしたものが記載されている。
【０００９】
特許文献２は、ベルトコンベア用スカート装置に関し、ベルトが搬送物の落下衝撃により振動しても、スカートがその振動に追従できるように、スカート支持部をベルトを支持するキャリアローラのフレームに取り付け、更に当該支持部にスカートを弾性体を介して上下動自在に装着したものが記載されている。
【００１０】
特許文献３は、ベルトコンベアーの落鉱防止設備に関し、ベルトコンベアーの幅方向両端に設けた落鉱防止用スカートの他に、該落鉱防止用スカートの後方位置で、ベルトコンベアの幅方向両端に、整流板をその幅方向の間隔が搬送方向に対して先細状となるように配置し、搬送物がベルトコンベアーの幅方向に拡がって落鉱することを防止する落鉱防止装置が記載されている。
【００１１】
特許文献４は、コンベアの防塵装置に関し、コンベア端の落口またはコンベア乗り継ぎ部を包囲するように、散水装置を有するフードを取り付け、散水装置による水膜が搬送物の表裏左右を覆い、搬送物からの発塵を防止するコンベアの防塵装置が記載されている。
【００１２】
更に、特許文献５には、搬送コンベアの外周が防塵フードによって包囲され、当該防塵フードの内部には所要の間隔を設けて臭いセンサーが取り付けられて、臭い検出値が所定の値を超えた場合、散水して火災の発生を防止する石炭輸送装置が記載されている。
【特許文献１】特開２００１−３１０８１１号公報
【特許文献２】特開平７−２７７４６３号公報
【特許文献３】特開平６−２４７５２５号公報
【特許文献４】特開平８−９９７２７号公報
【特許文献５】特開平１１−２６８８１６号公報
【発明の開示】
【発明が解決しようとする課題】
【００１３】
ところで、シュート下部のスカート部とフィーダベルトの隙間をスカートで覆っても、ベルトコンベア用シュート装置からは、上方のベルトコンベアからシュート部を通過して下方のベルトコンベアに落下する石炭の、落下の衝撃力により既にスカート部に堆積している石炭がスカートを押し拡げて発塵が発生する。
【００１４】
特許文献１，２記載のベルトコンベア用スカート装置においてスカートはいずれもゴム製で、上述した現象を防止することはできず、特許文献３〜５記載の落鉱発塵防止技術も上述した課題を解決するものではない。
【００１５】
そこで、本発明は発塵防止機能を備えたベルトコンベア用シュート装置を提供することを目的とする。
【課題を解決するための手段】
【００１６】
本発明の課題は以下の手段により達成可能である。
１．ベルトコンベア乗り継ぎ部に取り付けられるベルトコンベア用シュート装置であって、シュート部と前記ベルトコンベア間の隙間を覆うスカートと、前記スカートを前記シュート部の下部に取り付けるスカート支持部を備えた本体と、前記本体の、ベルトコンベアのテール側に、紐状部材を介して取り付けらたバックシールドと、を有することを特徴とするベルトコンベア用シュート装置。
２．前記バックシールドが紐状部材を介して前記スカート支持部の、ベルトコンベアのテール側端部に取り付けられていることを特徴とする１記載のベルトコンベア用シュート装置。
３．前記バックシールドが、ベルトコンベアの幅方向の断面形状に沿った断面形状を有することを特徴とする１または２記載のベルトコンベア用シュート装置。
４．前記バックシールドが、２層からなる硬質スポンジ層で構成され、上部の硬質スポンジ層は軸線を幅方向に配置した鋼線を有することを特徴とする１乃至３の何れか一つ記載のベルトコンベア用シュート装置。
５．前記バックシールドに錘を付加したことを特徴とする１乃至４の何れかに一つに記載のベルトコンベア用シュート装置。
【発明の効果】
【００１７】
本発明によれば、ベルトコンベア用シュート装置の、ベルトコンベアのテール側で、スカートとベルトの隙間からの発塵が大幅に低減し、産業上極めて有用である。
【発明を実施するための最良の形態】
【００１８】
本発明は、ベルトコンベア乗り継ぎ部に取り付けられるベルトコンベア用シュート装置であって、本体の、ベルトコンベアのテール側となる端部に、紐状部材を介してバックシールドを取り付けたことを特徴とする。以下、図面を用いて本発明を詳細に説明する。
【００１９】
図１は本発明の一実施例に係るベルトコンベア用シュート装置の構成を説明する図で、図４と同じ部分には同じ符号を付し、１はシュート装置、２は上段側のベルトコンベア、３は下段側のベルトコンベア、４はテールプーリー、１０はシュート部、４０はスカート支持部、４１はサイドスカート、４２はバックスカート、４３はバックシールド、４４はバックスカート４２とバックシールド４３を連結する紐状部材、矢印はベルトコンベアの搬送方向を示す。
【００２０】
ベルトコンベア用シュート装置１は、上段のベルトコンベア２から石炭が投入されるシュート部１０と、シュート部１０の下部とベルトコンベア３との隙間から発生する発塵を防止するための側面のサイドスカート４１とバックスカート４２、サイドスカート４１とバックスカート４２をシュート部１０に取り付けるためのスカート支持部４０と、を有する本体と、バックシールド４３を有する。
【００２１】
バックシールド４３は、本体の、ベルトコンベア３のテール側に、紐状部材４４を介して取り付けられる。紐状部材４４の長さは、ベルトコンベア３のベルト面の移動とともに、移動するバックシールド４３がバックスカート４２を押し込めるように、少なくともバックシールド４３の下面の全面がベルトコンベア３のベルト面に接触することが可能な長さとする。
【００２２】
紐状部材４４の長さが短く、バックシールド４３の下面の全面がベルトコンベア３のベルト面に接触しないと、バックシールド４３は本体側が浮き上がった状態で、バックスカート４２に突き当たることになり、十分な押し込み力が得られない。紐状部材４４として鉄製の鎖などが好適である。
【００２３】
尚、図において、紐状部材４４の一端は、バックスカート４２に取り付けられているが、本発明を規定するものでなく、シュート部１０やスカート支持部４０の、ベルトコンベア３の端部に取り付けることが可能である。但し、バックスカート４２に取り付け、その長さは短いほど、バックシールド４３のベルト面における挙動が安定となり好ましい。
【００２４】
ベルトコンベア３を稼動すると、バックシールド４３を上に載せた状態で、ベルトコンベア３のベルト面は矢印の方向に移動するので、紐状部材の長さが長く、バックシールド４３とバックスカート４２が離れていても、バックシールド４３はバックスカート４２に突き当たって停止し、バックスカート４２を押し込みながらベルト上面に摺接する。
【００２５】
その結果、上段のベルトコンベア２からシュート部１０を通過して下段のベルトコンベア３でシュート部１０のサイドスカート４１とバックスカート４２に囲まれた領域内に石炭が落下しても、落下の衝撃力により既にスカート部に堆積している石炭がバックスカート４２を押し拡げて、落下した際に発生する塵埃が、バックスカート４２とベルトコンベア３のベルトとの隙間から漏出することが防止される。
【００２６】
尚、バックスカート４２を、静止状態のコンベアベルトとの間に隙間が生じない形状としても、搬送物がベルト上に落下した際の振動や、ベルトが動く際の振動により隙間が発生し、発塵するので、その防止にはバックシールド４３をバックスカート４２に突き当てることが有効である。
【００２７】
図２は、バックシールド４３の構造の一例を示す模式図で、（ａ）は上面図、（ｂ）は幅方向断面図で（ａ）のＡ−Ａ断面図を示す。
【００２８】
バックシールド４３は二層からなり、４３ａは軟質スポンジ層、４３ｂは硬質スポンジ層からなり、４３ａ，４３ｂは張り合わせて構成され、上部の軟質スポンジ層４３ａの内部には鋼線４５を、軸線を幅方向にして配する。
【００２９】
スポンジ層の材質としてはベルトの変形に対して対応できるものであれば良く、軟質ゴム、シリコンゴム、ウレタンゴムや発泡スチロールおよびこれらと同等の材質のものが好ましい。スポンジの空隙の相違により軟質、硬質スポンジ層として使分けることができる。
【００３０】
バックシールドにおいて、硬質スポンジ層が薄すぎると強度が不足し、厚すぎるとベルトの変形に対応が出来ないため、適宜これらの厚みは調整する。
【００３１】
スポンジ層の厚みを４０〜６０ｍｍとした場合、発塵防止の観点から、軟質スポンジ層、硬質スポンジ層の厚みは半々とすることが好ましい。
【００３２】
ベルトコンベア３の断面形状は、テール側端部ローラ４で支持されるテール側端部を除き、ベルト搬送部は３本の支持ロール５，６，７で支持されてトラフ角θの略鍋底状断面となるため、鋼線４５を当該断面形状に沿って折り曲げて、バックシールド４３をベルトと接するように成形保持する。
【００３３】
バックシールド４３を二層構成としたため、ベルトコンベアと接触して磨耗する下部の硬質スポンジ層のみ交換することが可能である。
【００３４】
尚、バックシールド４３上には、ベルトの振動による反転など不安定な挙動を防止するために錘４６を載せることが望ましい。また、４３ａの軟質スポンジ層に埋め込んでも良い。
【００３５】
本発明に係るベルトコンベア用シュート装置は、石炭以外にもコークス、鉄鉱石、焼結鉱及び石灰等、発塵が生じるものの搬送において優れた発塵防止効果を得ることが可能である。
【図面の簡単な説明】
【００３６】
【図１】本発明例。
【図２】本発明例。
【図３】原料地区における石炭の移動経路を説明する模式図。
【図４】ベルトコンベア用スカート装置の構造を説明する図。
【符号の説明】
【００３７】
１        ベルトコンベア用シュート装置
２、３    ベルトコンベア
４    テールプーリー
５，６，７    支持ロール
１０          シュート部
４０  スカート支持部
４１  サイドスカート
４２  バックスカート
４３  バックシールド
４４  紐状部材
９０    ローダー
１００    定量切出装置（ＣＦＷ）
２００    砕炭機
３００    コークス炉
【図１】
2007302359.tif 000003
【図２】
2007302359.tif 000004
【図３】
2007302359.tif 000005
【図４】
2007302359.tif 000006